(57)【要約】【課題】「Ｐｒｅｓｅｒｖａｔｉｏｎ状態」への遷移及び「Ａｃｔｉｖｅ状態」への復帰の繰り返しに起因する制御のばたつきの発生を回避する。【解決手段】本発明に係る移動局ＵＥは、送信すべきデータが無くなったことを検出した場合に、無線アクセスネットワークに対して、シグナリングコネクションを解放するように指示する「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている送信部１３と、移動局ＵＥが特定状態であるか否かについて判定するように構成されている判定部１２とを具備し、判定部１２が、移動局ＵＥが特定状態であると判定した場合、送信部１３は、送信すべきデータが無くなったことを検出した場合であっても、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されている。【選択図】図４
2013192077.tif 000002
【特許請求の範囲】
【請求項１】
移動局であって、
送信すべきデータが無くなったことを検出した場合に、無線アクセスネットワークに対して、シグナリングコネクションを解放するように指示する解放指示信号を送信するように構成されている送信部と、
前記移動局が特定状態であるか否かについて判定するように構成されている判定部とを具備し、
前記判定部が、前記移動局が特定状態であると判定した場合、前記送信部は、送信すべきデータが無くなったことを検出した場合であっても、前記無線アクセスネットワークに対して、前記解放指示信号を送信しないように構成されていることを特徴とする移動局。
【請求項２】
前記判定部は、前記無線アクセスネットワークによって予め決められたデータ量に基づいて、記移動局が特定状態であるか否かについて判定するように構成されていることを特徴とする請求項１に記載の移動局。
【請求項３】
前記判定部は、前記無線アクセスネットワークによって予め決められた送信間隔に基づいて、前記移動局が特定状態であるか否かについて判定するように構成されていることを特徴とする請求項１に記載の移動局。
【請求項４】
前記判定部は、前記無線アクセスネットワークによって予め決められたデータ種別に基づいて、前記移動局が特定状態であるか否かについて判定するように構成されていることを特徴とする請求項１に記載の移動局。
【請求項５】
移動局であって、
送信すべきデータが無くなったことを検出した場合に、無線アクセスネットワークに対して、シグナリングコネクションを解放するように指示する解放指示信号を送信するように構成されている送信部を具備し、
前記送信部は、接続要求信号を送信してから所定期間が経過するまでは、送信すべきデータが無くなったことを検出した場合であっても、前記無線アクセスネットワークに対して、前記解放指示信号を送信しないように構成されていることを特徴とする移動局。
【請求項６】
特定状態であるか否かに基づいて、送信すべきデータが無くなったことを検出した場合に、シグナリングコネクションを解放するように指示する解放指示信号を送信するか否かについて判定するように構成されている移動局との間で通信可能な無線基地局であって、
報知情報によって、前記特定状態であるか否かについて判定するための判定情報を通知するように構成されている送信部を具備することを特徴とする無線基地局。
【請求項７】
前記判定情報は、データ量、送信間隔又はデータ種別であることを特徴とする請求項６に記載の無線基地局。
【請求項８】
接続要求信号を送信してから所定期間が経過するまでは、送信すべきデータが無くなったことを検出した場合であっても、シグナリングコネクションを解放するように指示する解放指示信号を送信しないように構成されている移動局との間で通信可能な無線基地局であって、
報知情報によって、前記所定期間を通知するように構成されている送信部を具備することを特徴とする無線基地局。
【発明の詳細な説明】
【技術分野】
【０００１】
本発明は、移動局及び無線基地局に関する。
【背景技術】
【０００２】
３ＧＰＰでは、移動局ＵＥのバッテリセービングを目的として、「Ｆａｓｔ  Ｄｏｒｍａｎｃｙ機能」が規定されている（非特許文献１参照）。
【０００３】
かかる「Ｆａｓｔ  Ｄｏｒｍａｎｃｙ機能」によれば、移動局ＵＥは、送信すべきデータが無くなったことを検出した場合に、直ちに、「Ｐｒｅｓｅｒｖａｔｉｏｎ状態」に遷移することができるように、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている。
【０００４】
ここで、無線アクセスネットワーク（無線基地局ｅＮＢ）は、移動局ＵＥに対して、タイマＴ３２３の値を通知することによって、移動局ＵＥによる「ＳＩＧＮＡＬＬＩＮＧ  ＣＯＮＮＥＣＴＩＯＮ  ＲＥＬＥＡＳＥ  ＩＮＤＩＣＡＴＩＯＮ」の再送間隔を制御することができる。
【先行技術文献】
【非特許文献】
【０００５】
【非特許文献１】３ＧＰＰ  ＴＳ２５.３３１  ８.１.１４章
【発明の概要】
【発明が解決しようとする課題】
【０００６】
しかしながら、既存の「Ｆａｓｔ  Ｄｏｒｍａｎｃｙ機能」では、移動局ＵＥが、「Ｐｒｅｓｅｒｖａｔｉｏｎ状態」に遷移することで、移動局ＵＥのバッテリや無線リソースの消費の抑制効果については期待することができる反面、図５に示すように、移動局ＵＥにおいてユーザによってブラウジングが行われている場合のように、移動局ＵＥが、頻繁に「Ｐｒｅｓｅｒｖａｔｉｏｎ状態」に遷移したり「Ａｃｔｉｖｅ状態」に復帰したりする場合には、かかる遷移や復帰の繰り返しに起因して制御のばたつきが発生してしまうという問題点があった。
【０００７】
また、既存の「Ｆａｓｔ  Ｄｏｒｍａｎｃｙ機能」では、無線アクセスネットワーク（無線基地局ｅＮＢ）は、移動局ＵＥによる「ＳＩＧＮＡＬＬＩＮＧ  ＣＯＮＮＥＣＴＩＯＮ  ＲＥＬＥＡＳＥ  ＩＮＤＩＣＡＴＩＯＮ」の再送間隔を制御することができるにすぎず、移動局ＵＥごとに、かかる遷移や復帰の繰り返しに起因する制御のばたつきの発生を回避することができないという問題点があった。
【０００８】
そこで、本発明は、上述の課題に鑑みてなされたものであり、「Ｐｒｅｓｅｒｖａｔｉｏｎ状態」への遷移及び「Ａｃｔｉｖｅ状態」への復帰の繰り返しに起因する制御のばたつきの発生を回避することができる移動局及び無線基地局を提供することを目的とする。
【課題を解決するための手段】
【０００９】
本発明の第１の特徴は、移動局であって、送信すべきデータが無くなったことを検出した場合に、無線基地局に対して、シグナリングコネクションを解放するように指示する解放指示信号を送信するように構成されている送信部と、前記移動局が特定状態であるか否かについて判定するように構成されている判定部とを具備し、前記判定部が、前記移動局が特定状態であると判定した場合、前記送信部は、送信すべきデータが無くなったことを検出した場合であっても、前記無線基地局に対して、前記解放指示信号を送信しないように構成されていることを要旨とする。
【００１０】
本発明の第２の特徴は、移動局であって、送信すべきデータが無くなったことを検出した場合に、無線アクセスネットワークに対して、シグナリングコネクションを解放するように指示する解放指示信号を送信するように構成されている送信部を具備し、前記送信部は、接続要求信号を送信してから所定期間が経過するまでは、送信すべきデータが無くなったことを検出した場合であっても、前記無線アクセスネットワークに対して、前記解放指示信号を送信しないように構成されていることを要旨とする。
【００１１】
本発明の第３の特徴は、特定状態であるか否かに基づいて、送信すべきデータが無くなったことを検出した場合に、シグナリングコネクションを解放するように指示する解放指示信号を送信するか否かについて判定するように構成されている移動局との間で通信可能な無線基地局であって、報知情報によって、前記特定状態であるか否かについて判定するための判定情報を通知するように構成されている送信部を具備することを要旨とする。
【００１２】
本発明の第４の特徴は、接続要求信号を送信してから所定期間が経過するまでは、送信すべきデータが無くなったことを検出した場合であっても、シグナリングコネクションを解放するように指示する解放指示信号を送信しないように構成されている移動局との間で通信可能な無線基地局であって、報知情報によって、前記所定期間を通知するように構成されている送信部を具備することを要旨とする。
【発明の効果】
【００１３】
以上説明したように、本発明によれば、「Ｐｒｅｓｅｒｖａｔｉｏｎ状態」への遷移及び「Ａｃｔｉｖｅ状態」への復帰の繰り返しに起因する制御のばたつきの発生を回避することができる移動局及び無線基地局を提供することができる。
【図面の簡単な説明】
【００１４】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【図５】従来の移動通信システムの問題点を説明するための図である。
【発明を実施するための形態】
【００１５】
（本発明の第１の実施形態に係る移動通信システム）
図１乃至図４を参照して、本発明の第１の実施形態に係る移動通信システムについて説明する。
【００１６】
本実施形態に係る移動通信システムは、ＬＴＥ（Ｌｏｎｇ  Ｔｅｒｍ  Ｅｖｏｌｕｔｉｏｎ）方式の移動通信システムであってもよいし、ＷＣＤＭＡ方式（Ｗｉｄｅｂａｎｄ  ＣＤＭＡ）方式の移動通信システムであってもよいし、その他の無線アクセスネットワーク方式の移動通信システムであってもよい。
【００１７】
以下、本実施形態では、ＬＴＥ方式の移動通信システムを例に挙げて説明するが、本発明は、ＬＴＥ方式の移動通信システムにも適用可能である。なお、本実施形態に係る移動通信システムは、図１に示すように、無線基地局ｅＮＢ及び移動局ＵＥを具備している。
【００１８】
図２に示すように、本実施形態に係る移動局ＵＥは、受信部１１と、判定部１２と、送信部１３とを具備している。
【００１９】
受信部１１は、無線アクセスネットワーク、すなわち、無線基地局ｅＮＢから、各種信号を受信するように構成されており、送信部１３は、無線アクセスネットワーク、すなわち、無線基地局ｅＮＢに対して、各種信号を送信するように構成されている。
【００２０】
判定部１２は、移動局ＵＥが特定状態であるか否かについて判定するように構成されている。
【００２１】
例えば、判定部１２は、移動局ＵＥにおいてユーザの操作を伴うデータの送受信が行われている状態（例えば、移動局ＵＥにおいてユーザによってブラウジングが行われている状態）であると判定した場合に、移動局ＵＥが特定状態であると判定するように構成されていてもよい。
【００２２】
また、判定部１２は、移動局ＵＥにおいてユーザの操作を伴わないデータの送受信が行われている状態（例えば、移動局ＵＥにおいて「Ｋｅｅｐ  Ａｌｉｖｅ信号」等のアプリケーションによる定期的なデータの送受信が行われている状態）であると判定した場合に、移動局ＵＥが特定状態であると判定するように構成されていてもよい。
【００２３】
ここで、判定部１２は、無線アクセスネットワーク（無線基地局ｅＮＢ）によって予め決められたデータ量（判定情報）に基づいて、移動局ＵＥが特定状態であるか否かについて判定するように構成されていてもよい。
【００２４】
例えば、判定部１２は、移動局ＵＥが「Ａｃｔｉｖｅ状態」に遷移してから送受信されたデータ量が、かかるデータ量よりも小さい場合、移動局ＵＥにおいてユーザの操作を伴わないデータの送受信が行われている状態である、或いは、移動局ＵＥが特定状態でないと判定するように構成されていてもよい。
【００２５】
或いは、判定部１２は、移動局ＵＥが「Ａｃｔｉｖｅ状態」に遷移してから送受信されたデータ量が、かかるデータ量よりも大きい場合、移動局ＵＥにおいてユーザの操作を伴うデータの送受信が行われている状態である、或いは、移動局ＵＥが特定状態であると判定するように構成されていてもよい。
【００２６】
なお、これらの判定条件について、無線アクセスネットワーク（無線基地局ｅＮＢ）によって通知されるように構成されていてもよい。
【００２７】
また、判定部１２は、無線アクセスネットワーク（無線基地局ｅＮＢ）によって予め決められた送信間隔（判定情報）に基づいて、移動局ＵＥが特定状態であるか否かについて判定するように構成されていてもよい。
【００２８】
例えば、判定部１２は、移動局ＵＥが「Ａｃｔｉｖｅ状態」に遷移してから送信間隔に相当する時間が経過していない場合に、移動局ＵＥが特定状態であると判定するように構成されていてもよい。
【００２９】
なお、かかる判定条件について、無線アクセスネットワーク（無線基地局ｅＮＢ）によって通知されるように構成されていてもよい。また、かかる送信間隔を管理するタイマは、上述のタイマＴ３２３とは別個のものである。
【００３０】
さらに、判定部１２は、無線アクセスネットワーク（無線基地局ｅＮＢ）によって予め決められたデータ種別（判定情報）に基づいて、移動局ＵＥが特定状態であるか否かについて判定するように構成されていてもよい。
【００３１】
例えば、判定部１２は、移動局ＵＥが「Ａｃｔｉｖｅ状態」に遷移した後に最後に送信したデータの種別が「Ｋｅｅｐ  Ａｌｉｖｅ信号」等のアプリケーションによる定期的なデータであると判定した場合に、移動局ＵＥが特定状態でないと判定するように構成されていてもよい。
【００３２】
或いは、判定部１２は、移動局ＵＥが「Ａｃｔｉｖｅ状態」に遷移した後に最後に送信したデータの種別がブラウジング用データであると判定した場合に、移動局ＵＥが特定状態であると判定するように構成されていてもよい。
【００３３】
なお、これらの判定条件について、無線アクセスネットワーク（無線基地局ｅＮＢ）によって通知されるように構成されていてもよい。
【００３４】
移動局ＵＥにおいて、「Ｆａｓｔ  Ｄｏｒｍａｎｃｙ機能」が用いられている場合、基本的には、送信部１３は、送信すべきデータが無くなったことを検出した場合に、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている。
【００３５】
しかしながら、移動局ＵＥにおいて、「Ｆａｓｔ  Ｄｏｒｍａｎｃｙ機能」が用いられている場合であっても、判定部１２が、移動局ＵＥが特定状態であると判定した場合には、送信部１３は、送信すべきデータが無くなったことを検出した場合に、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されている。
【００３６】
また、送信部１３は、「ＲＲＣ  ＣＯＮＮＥＣＴＩＯＮ  ＲＥＱＵＥＳＴ」を送信してから所定期間が経過するまでは、送信すべきデータが無くなったことを検出した場合で、かつ、判定部１２によって移動局ＵＥが特定状態でないと判定された場合であっても、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されていてもよい。
【００３７】
なお、かかる所定期間は、無線アクセスネットワーク（無線基地局ｅＮＢ）によって報知情報を介して通知されるように構成されている。
【００３８】
図３に示すように、本実施形態に係る無線基地局ｅＮＢは、制御部２１と、送信部２２と、受信部２３とを具備している。
【００３９】
送信部２２は、移動局ＵＥに対して、各種信号を送信するように構成されており、受信部２３は、移動局ＵＥから、各種信号を受信するように構成されている。
【００４０】
例えば、送信部２２は、移動局ＵＥに対して、報知情報を介して、上述のデータ量や送信間隔やデータ種別等の判定情報や、上述の判定条件や、所定期間等を通知するように構成されていてもよい。
【００４１】
また、受信部２３は、移動局ＵＥから、上述の「ＳＩＧＮＡＬＬＩＮＧ  ＣＯＮＮＥＣＴＩＯＮ  ＲＥＬＥＡＳＥ  ＩＮＤＩＣＡＴＩＯＮ」や「ＲＲＣ  ＣＯＮＮＥＣＴＩＯＮ  ＲＥＱＵＥＳＴ」等を受信するように構成されている。
【００４２】
制御部２１は、無線基地局ｅＮＢにおける各種制御を行うように構成されている。
【００４３】
例えば、受信部２３が、移動局ＵＥから「ＳＩＧＮＡＬＬＩＮＧ  ＣＯＮＮＥＣＴＩＯＮ  ＲＥＬＥＡＳＥ  ＩＮＤＩＣＡＴＩＯＮ」を受信した場合に、制御部２１は、かかる移動局ＵＥを「Ｐｒｅｓｅｒｖａｔｉｏｎ状態」に遷移させるか否かについて判定するように構成されていてもよい。
【００４４】
なお、制御部２１が、かかる移動局ＵＥを「Ｐｒｅｓｅｒｖａｔｉｏｎ状態」に遷移させると判定した場合、送信部２２及び受信部２３は、移動局ＵＥとの間で、かかる移動局ＵＥを「Ｐｒｅｓｅｒｖａｔｉｏｎ状態」に遷移させるための処理（具体的には、かかる移動局ＵＥのシグナリングコネクションの解放処理）を行うように構成されている。
【００４５】
以下、図３を参照した、本実施形態に係る移動通信システムの動作について説明する。
【００４６】
図３に示すように、ステップＳ１００１において、無線基地局ｅＮＢは、移動局ＵＥに対して、「Ｆａｓｔ  Ｄｏｒｍａｎｃｙ機能」の起動条件（例えば、上述のデータ量や送信間隔やデータ種別や所定期間等）を通知する。
【００４７】
ステップＳ１００２において、移動局ＵＥは、無線基地局ｅＮＢに対して、「ＲＲＣ  ＣＯＮＮＥＣＴＩＯＮ  ＲＥＱＵＥＳＴ」を送信し、ステップＳ１００３において、無線基地局ｅＮＢは、移動局ＵＥに対して、「ＲＲＣ  ＣＯＮＮＥＣＴＩＯＮ  ＳＥＴＵＰ」を送信し、ステップＳ１００４において、移動局ＵＥは、無線基地局ｅＮＢに対して、「ＲＲＣ  ＣＯＮＮＥＣＴＩＯＮ  ＳＥＴＵＰ  ＣＯＭＰＬＥＴＥ」を送信する。
【００４８】
その後、ステップＳ１００６において、移動局ＵＥと無線基地局ｅＮＢとの間で、データの送受信が行われる。
【００４９】
移動局ＵＥは、ステップＳ１００６において、送信すべきデータが無くなったことを検出すると、ステップＳ１００７において、上述のように、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信すべきか否かについて判定する。
【００５０】
例えば、移動局ＵＥは、移動局ＵＥが特定状態ではないと判定した場合で、かつ、「ＲＲＣ  ＣＯＮＮＥＣＴＩＯＮ  ＲＥＱＵＥＳＴ」を送信してから所定期間が経過している場合に、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信すべきであると判定してもよい。
【００５１】
ステップＳ１００８において、移動局ＵＥは、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信すべきであると判定した場合に、無線基地局ｅＮＢに対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信する。
【００５２】
本実施形態に係る発明によれば、移動局ＵＥは、移動局ＵＥが特定状態であると判定した場合で、かつ、「ＲＲＣ  ＣＯＮＮＥＣＴＩＯＮ  ＲＥＱＵＥＳＴ」を送信してから所定期間が経過している場合に、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されているため、移動局ＵＥにおいてユーザの操作を伴うデータの送受信が行われている状態等には、移動局ＵＥを「Ｐｒｅｓｅｒｖａｔｉｏｎ状態」を遷移させないことができ、無駄な「Ｐｒｅｓｅｒｖａｔｉｏｎ状態」への遷移及び「Ａｃｔｉｖｅ状態」への復帰の繰り返しを回避することにより、制御のばたつきの発生を回避し、無駄な信号量の増加を回避することができる。
【００５３】
以上に述べた本実施形態の特徴は、以下のように表現されていてもよい。
【００５４】
本実施形態の第１の特徴は、移動局ＵＥであって、送信すべきデータが無くなったことを検出した場合に、無線アクセスネットワーク（無線基地局ｅＮＢ）に対して、シグナリングコネクションを解放するように指示する「ＳＩＧＮＡＬＬＩＮＧ  ＣＯＮＮＥＣＴＩＯＮ  ＲＥＬＥＡＳＥ  ＩＮＤＩＣＡＴＩＯＮ（解放指示信号）」を送信するように構成されている送信部１３と、移動局ＵＥが特定状態であるか否かについて判定するように構成されている判定部１２とを具備し、判定部１２が、移動局ＵＥが特定状態であると判定した場合、送信部１３は、送信すべきデータが無くなったことを検出した場合であっても、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されていることを要旨とする。
【００５５】
本実施形態の第１の特徴において、判定部１２は、無線アクセスネットワーク（無線基地局ｅＮＢ）によって予め決められたデータ量に基づいて、移動局ＵＥが特定状態であるか否かについて判定するように構成されていてもよい。
【００５６】
本実施形態の第１の特徴において、判定部１２は、無線アクセスネットワーク（無線基地局ｅＮＢ）によって予め決められた送信間隔に基づいて、移動局ＵＥが特定状態であるか否かについて判定するように構成されていてもよい。
【００５７】
本実施形態の第１の特徴において、判定部１２は、無線アクセスネットワーク（無線基地局ｅＮＢ）によって予め決められたデータ種別に基づいて、移動局ＵＥが特定状態であるか否かについて判定するように構成されていてもよい。
【００５８】
本実施形態の第１の特徴において、送信部１３は、「ＲＲＣ  ＣＯＮＮＥＣＴＩＯＮ  ＲＥＱＵＥＳＴ（接続要求信号）」を送信してから所定期間が経過するまでは、送信すべきデータが無くなったことを検出した場合で、かつ、判定部１２によって移動局ＵＥが特定状態でないと判定された場合であっても、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されていてもよい。
【００５９】
本実施形態の第１の特徴において、所定期間は、報知情報によって通知されていてもよい。
【００６０】
本実施形態の第２の特徴は、移動局ＵＥであって、送信すべきデータが無くなったことを検出した場合に、無線アクセスネットワーク（無線基地局ｅＮＢ）に対して、シグナリングコネクションを解放するように指示する「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている送信部１３を具備し、送信部１３は、「ＲＲＣ  ＣＯＮＮＥＣＴＩＯＮ  ＲＥＱＵＥＳＴ」を送信してから所定期間が経過するまでは、送信すべきデータが無くなったことを検出した場合であっても、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されていることを要旨とする。
【００６１】
本実施形態の第３の特徴は、特定状態であるか否かに基づいて、送信すべきデータが無くなったことを検出した場合に、シグナリングコネクションを解放するように指示する「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するか否かについて判定するように構成されている移動局ＵＥとの間で通信可能な無線基地局ｅＮＢであって、報知情報によって、上述の特定状態であるか否かについて判定するための判定情報を通知するように構成されている送信部２２を具備することを要旨とする。
【００６２】
本実施形態の第３の特徴において、上述の判定情報は、データ量、送信間隔又はデータ種別であってもよい。
【００６３】
本実施形態の第３の特徴は、「ＲＲＣ  ＣＯＮＮＥＣＴＩＯＮ  ＲＥＱＵＥＳＴ」を送信してから所定期間が経過するまでは、送信すべきデータが無くなったことを検出した場合であっても、シグナリングコネクションを解放するように指示する「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信しないように構成されている移動局ＵＥとの間で通信可能な無線基地局ｅＮＢであって、報知情報によって、かかる所定期間を通知するように構成されている送信部２２を具備することを要旨とする。
【００６４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
１１、２３…受信部
１２…判定部
１３、２２…送信部
２１…制御部
【図１】
2013192077.tif 000003
【図２】
2013192077.tif 000004
【図３】
2013192077.tif 000005
【図４】
2013192077.tif 000006
【図５】
2013192077.tif 000007